(57)【要約】【課題】  読み取り対象の原稿領域のみを読み取る画像読取装置を提供する。【解決手段】  読み取り対象の原稿領域のみの画像読み取りを行う画像読取装置であって、読み取り対象の原稿を置くコンタクトガラスと、コンタクトガラスの一辺と同じ長さを有する線光源と、線光源の反射光を検出するラインセンサとが一体となり、線光源の長手方向に直交する方向へ走査することにより、原稿の画像を読み取る画像読取手段と、コンタクトガラス上に置かれた原稿の領域を検出する原稿位置検出手段と、原稿位置検出手段により検出した原稿の領域のみを線光源により照明し、ラインセンサにより原稿の領域のみの画像を読み取るように、画像読み取り位置を制御する読取位置制御手段とを備える。【選択図】    図１
2006246320.tif 000002
【特許請求の範囲】
【請求項１】
読み取り対象の原稿領域のみの画像読み取りを行う画像読取装置であって、
読み取り対象の原稿を置くコンタクトガラスと、
前記コンタクトガラスの一辺と同じ長さを有する線光源と、前記線光源の反射光を検出するラインセンサとが一体となり、線光源の長手方向に直交する方向へ走査することにより、前記原稿の画像を読み取る画像読取手段と、
前記コンタクトガラス上に置かれた前記原稿の領域を検出する原稿位置検出手段と、
前記原稿位置検出手段により検出した前記原稿の領域のみを前記線光源により照明し、前記ラインセンサにより前記原稿の領域のみの画像を読み取るように、画像読み取り位置を制御する読取位置制御手段と
を備えたことを特徴とする画像読取装置。
【請求項２】
前記コンタクトガラスの背面に液晶シャッタを備え、前記原稿位置検出手段により検出された原稿領域以外の領域を不透明状態とすることを特徴とする請求項１に記載の画像読取装置。
【請求項３】
読み取り対象の原稿を置くコンタクトガラスと、前記コンタクトガラスの一辺と同じ長さを有する線光源と、前記線光源の反射光を検出するラインセンサとが一体となり、線光源の長手方向に直交する方向へ走査することにより、前記原稿の画像を読み取る画像読取手段と、前記コンタクトガラス上に置かれた前記原稿の領域を検出する原稿位置検出手段とを備え、前記原稿領域のみの画像読み取りを行う画像読取装置における制御プログラムであって、
前記原稿位置検出手段により検出した前記原稿の領域のみを前記線光源により照明し、前記ラインセンサにより前記原稿の領域のみの画像を読み取るように、画像読み取り位置を制御する読取位置制御処理をコンピュータに行わせることを特徴とする制御プログラム。
【請求項４】
前記画像読取装置は、前記コンタクトガラスの背面に液晶シャッタを備え、
前記制御プログラムは、前記原稿位置検出手段により検出された原稿領域以外の領域が不透明状態となるように、前記液晶シャッタを制御する処理をさらにコンピュータに行わせることを特徴とする請求項３に記載の制御プログラム。
【発明の詳細な説明】
【技術分野】
【０００１】
本発明は、原稿押さえを必要としない画像読取装置及び制御プログラムに関する。
【背景技術】
【０００２】
従来の複写機は、コンタクトガラス（原稿台）上に置いた原稿がずれないようにするために、原稿押さえが備えられている。しかしながら、厚い書籍や雑誌の一部のページを複写対象としたして複写しようとする場合、原稿押さえを閉めることができないため、原稿の周囲部分から露光の光が多く漏れてしまい使用者が眩しいという問題がある。また原稿の周囲から漏れ光があるとその部分が黒くなった複写印刷物になってしまうという問題がある。
なお、液晶シャッタ装置をコンタクトガラス下面全面に渡らせて備え、原稿サイズに応じて原稿領域以外のコンタクトガラス面を遮光する複写機の遮光装置が知られている（例えば、特許文献１参照）。
【特許文献１】実開平０２−１３２２５６号公報
【発明の開示】
【発明が解決しようとする課題】
【０００３】
ところで、原稿を置くコンタクトガラスは、複写可能な原稿の最大サイズに合わせた大きさになっているのが一般的である。そのため、コンタクトガラスより小さい原稿を複写しようとする場合、原稿押さえを閉じることにより、原稿の周囲からの漏れ光が発生するのを防止している。
しかしながら、書籍や雑誌のように、原稿が厚い場合は原稿押さえを閉じることができないため、原稿押さえを使用することができないという問題に加え、原稿が薄い場合であってもページをめくりながら複写するような場合は、その都度原稿押さえを開閉しなければならず、操作が煩雑になるという問題がある。また、原稿押さえを閉じて複写を行った場合に、原稿を取り忘れてしまうという問題もある。
【０００４】
本発明は、このような事情に鑑みてなされたもので、原稿押さえを必要としない画像読取装置及び制御プログラムを提供することを目的とする。
【課題を解決するための手段】
【０００５】
本発明は、読み取り対象の原稿領域のみの画像読み取りを行う画像読取装置であって、読み取り対象の原稿を置くコンタクトガラスと、前記コンタクトガラスの一辺と同じ長さを有する線光源と、前記線光源の反射光を検出するラインセンサとが一体となり、線光源の長手方向に直交する方向へ走査することにより、前記原稿の画像を読み取る画像読取手段と、前記コンタクトガラス上に置かれた前記原稿の領域を検出する原稿位置検出手段と、前記原稿位置検出手段により検出した前記原稿の領域のみを前記線光源により照明し、前記ラインセンサにより前記原稿の領域のみの画像を読み取るように、画像読み取り位置を制御する読取位置制御手段とを備えたことを特徴とする。
【０００６】
本発明は、前記コンタクトガラスの背面に液晶シャッタを備え、前記原稿位置検出手段により検出された原稿領域以外の領域を不透明状態とすることを特徴とする。
【０００７】
本発明は、読み取り対象の原稿を置くコンタクトガラスと、前記コンタクトガラスの一辺と同じ長さを有する線光源と、前記線光源の反射光を検出するラインセンサとが一体となり、線光源の長手方向に直交する方向へ走査することにより、前記原稿の画像を読み取る画像読取手段と、前記コンタクトガラス上に置かれた前記原稿の領域を検出する原稿位置検出手段とを備え、前記原稿領域のみの画像読み取りを行う画像読取装置における制御プログラムであって、前記原稿位置検出手段により検出した前記原稿の領域のみを前記線光源により照明し、前記ラインセンサにより前記原稿の領域のみの画像を読み取るように、画像読み取り位置を制御する読取位置制御処理をコンピュータに行わせることを特徴とする。
【０００８】
本発明は、前記画像読取装置は、前記コンタクトガラスの背面に液晶シャッタを備え、前記制御プログラムは、前記原稿位置検出手段により検出された原稿領域以外の領域が不透明状態となるように、前記液晶シャッタを制御する処理をさらにコンピュータに行わせることを特徴とする。
【発明の効果】
【０００９】
本発明によれば、コンタクトガラス上に置かれた原稿の領域を検出する原稿位置検出手段と、原稿位置検出手段により検出した原稿の領域のみを線光源により照明し、ラインセンサにより原稿の領域のみの画像を読み取るように、画像読み取り位置を制御する読取位置制御手段とを備えたため、原稿押さえを備える必要がなくなり、使用者が原稿押さえを開閉することなく、画像読み取りを行うことができるともに、画像読み取り後の原稿取り忘れを防止することができるという効果が得られる。
【発明を実施するための最良の形態】
【００１０】
以下、本発明の一実施形態による画像読取装置を図面を参照して説明する。図１は同実施形態の構成を示すブロック図である。以下の説明においては、本発明により画像読取装置を備えた複写機を例にして説明する。この図において、符号１は、画像読み取り対象の原稿である。符号２は、画像読取装置の動作を統括して制御する制御部である。符号３は、原稿１を置くためのコンタクトガラスであり、背面（原稿を置く反対側の面）に、白色の液晶を用いた液晶シャッタを備えている。符号４は、コンタクトガラス３の全面を背面側から撮像する画像取得部であり、ＣＣＤカメラ等から構成する。符号５は、画像取得部４において撮像した画像に対して、画像処理を施すことにより原稿１が置かれた領域を検出する原稿位置検出部である。符号６は、原稿位置検出部５によって検出された原稿１の領域以外の領域を液晶シャッタにより不透明状態とするシャッタ制御部である。符号７は、コンタクトガラス３の一辺と同じ長さを有する線光源と、この線光源の反射光を検出するラインセンサとが一体となり、線光源の長手方向に直交する方向へ走査することにより、原稿の画像を読み取る画像読取部である。画像読取部７の線光源は、光源となるＬＥＤを１列に配列した光源であり、各々のＬＥＤの発光制御が可能である。
【００１１】
符号８は、原稿位置検出部５により検出した原稿１の領域のみを画像読取部７の線光源により照明し、ラインセンサにより原稿１の領域のみの画像を読み取るように、画像読取部７を制御する読取位置制御部である。符号９は、画像読取部７を走査方向に移動する制御を行うとともに、原稿１の領域のみに線光源が発光するように制御する発光制御部である。符号１０は、画像読取部７のラインセンサ出力をデジタル画像データに変換する画像処理部である。符号１１は、画像処理部１０において得られた画像データを記憶する画像メモリである。符号１２は、画像メモリ１１に記憶されている画像データを印刷用紙に転写することにより印刷を行う印刷部である。符号１３は、ファンクションキー、テンキー等から構成する入力部である。符号１４は、液晶のディスプレイ等から構成する表示部である。
【００１２】
次に、図１、２を参照して、図１に示す装置の動作を説明する。まず、使用者は、コンタクトガラス３上に原稿１を置く。そして、使用者は、入力部１３から複写枚数を入力するとともに、印刷用紙サイズを選択し、コピー開始キーを押下する。これを受けて、制御部２は、原稿位置検出部５に対して、原稿位置の検出を指示する。原稿位置検出部５は、画像取得部４により撮像した画像を入力し、この撮像画像に対して、周知の画像処理を施して、原稿領域のエッジ抽出を行う。そして、原稿位置検出部５は、コンタクトガラス３を抽出したエッジの内側の領域（これを原稿領域と称する）とエッジの外側の領域（これを原稿以外領域と称する）とに分けて、この２つの領域を特定する情報を制御部２へ出力する。
【００１３】
次に、制御部２は、原稿領域と原稿以外領域を特定する情報をシャッタ制御部６へ出力する。これを受けて、シャッタ制御部６は、コンタクトガラス３に備えた液晶シャッタに対して、原稿以外領域（原稿１の領域以外の領域）を不透明状態とする指示を出力する。これにより、原稿１が置かれた領域以外の領域が白色液晶によって不透明状態となる。続いて、制御部２は、読取位置制御部８に対して、原稿領域と原稿以外領域を特定する情報と、選択された印刷用紙サイズの情報を出力する。これを受けて、読取位置制御部８は、制御部２から受け取った領域を特定する情報に基づいて、画像読取部７内の線光源を構成するＬＥＤ毎の点灯タイミングを設定する。そして、読取位置制御部８は、線光源を構成する各ＬＥＤ毎に設定した点灯タイミングを発光制御部９へ出力する。また、読取位置制御部８は、印刷用紙サイズの情報と原稿以外領域を特定する情報とを出力する。発光制御部９は、画像読取部７の走査方向への移動制御とタイミングを取りながら、各ＬＥＤ毎の点灯タイミングに基づいて線光源を構成するＬＥＤの発光制御を行う。これにより、原稿領域のみが発光することになる。
【００１４】
この点灯タイミングと同期して、画像読取部７に備えられたラインセンサは、原稿１の表面で反射した線光源の光を検出し、画像処理部１０に対して出力する。画像処理部１０は、ラインセンサから出力される信号をデジタルデータに変換する。そして、画像処理部１０は、読取位置制御部８から出力された印刷用紙サイズの情報と原稿以外領域を特定する情報とから、印刷用紙上の原稿以外領域を特定し、この特定した領域が白色であったものと見なしたデータを生成し、ラインセンサによって読み取られた原稿画像のデータと生成したデータを合成する。これは、原稿領域のみの光源を点灯するようにしたため、原稿以外領域のラインセンサには線光源の光が入射しないことになるため、このまま複写処理を実行した場合に原稿以外領域が黒く印刷されてしまうのを防止するための処理である。
【００１５】
次に、画像処理部１０は、合成して得られた画像データを画像メモリ１１へ格納する。これを受けて、制御部２は、印刷部１２に対して、複写枚数と使用する印刷用紙サイズの情報を含む印刷開始指示を出力する。これを受けて、印刷部１２は、制御部２から指示された用紙サイズの印刷用紙に画像メモリ１１に格納されている画像データを転写する動作を複写枚数分繰り返し実行する。これにより、コンタクトガラス３上に置かれた原稿１の複写が行われることになる。また、原稿１の周囲（原稿以外領域）を白色の液晶によって覆うようにしたため、原稿１以外の領域にあたかも白色の用紙を置いたのと同じ状態となり、原稿１領域の境界付近が黒くなって印刷されてしまうことを防止することができる。
【００１６】
次に、図２を参照して、画像読取部７に備えられた線光源（ＬＥＤを配列した光源）のＯＮ／ＯＦＦタイミングについて説明する。図２に示す（Ａ）は、原稿領域を示し、（Ｂ）は、原稿以外領域を示している。このような状態で画像読取部７が走査方向へ移動する場合、画像読取部７の上端側の一部と下端側の一部は、画像読取部７が走査方向へ移動する間において、原稿領域（Ａ）を通過することがないため、この部分は常にＯＦＦである。一方、画像読取部７が走査方向へ移動する間において、原稿領域（Ａ）内を通過する部分の光源は、原稿１の左端までは、ＯＦＦであり、原稿領域（Ａ）を通過中は、ＯＮとなり、原稿１の右端に到達した時点でＯＦＦとなる。このような点灯タイミングとすることにより、原稿領域のみが発光することが可能となる。
【００１７】
次に、図３を参照して、置かれた原稿１が傾いている場合の点灯タイミングについて説明する。原稿１が傾いている場合、画像読取部７に備えられた線光源を構成するＬＥＤのうち、図３に示すＬＥＤ１より上端側のＬＥＤとＬＥＤ４より下端側のＬＥＤは点灯しない。ＬＥＤ１〜ＬＥＤ４の範囲のＬＥＤのうち、ＬＥＤ１、ＬＥＤ２、ＬＥＤ３及びＬＥＤ４の点灯タイミングチャートを図３に示す。このタイミングチャートに示すように、画像読取部７が走査方向へ移動する場合に、原稿領域上を通過しているＬＥＤが原稿領域上を通過している間だけ点灯するように発光制御を行う。この発光制御により、画像読取部７がコンタクトガラス３上を走査する場合に、原稿位置検出部５において検出した原稿領域のみにおいて線光源のＬＥＤが発光することになる。
【００１８】
このように、コンタクトガラス上に置かれた原稿の領域を検出し、検出した原稿の領域のみを線光源により照明し、ラインセンサにより原稿の領域のみの画像を読み取るように、画像読み取り位置を制御するようにしたため、原稿押さえを備える必要がなくなり、使用者が原稿押さえを開閉することなく、画像読み取りを行うことができるともに、画像読み取り後の原稿取り忘れを防止することができる。
【００１９】
以上の説明においては、複写機を例に説明したが、原稿１の画像を読み取り、画像メモリ１１に読み取った画像データを格納する構成（図１において、印刷部１２を除いた構成）は、画像を読み取ってメモリに格納する機能のみを有した画像読取装置（スキャナ）にも適用可能である。
【００２０】
なお、図１における処理部の機能を実現するためのプログラムをコンピュータ読み取り可能な記録媒体に記録して、この記録媒体に記録されたプログラムをコンピュータシステムに読み込ませ、実行することにより画像読取処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２２】
【図１】本発明の一実施形態の構成を示すブロック図である。
【図２】光源の発光タイミングを示す説明図である。
【図３】光源の発光タイミングを示す説明図である。
【符号の説明】
【００２３】
１・・・原稿、２・・・制御部、３・・・液晶シャッタ（コンタクトガラス）、４・・・画像取得部、５・・・原稿位置検出部、６・・・シャッタ制御部、７・・・画像読取部、８・・・読取位置制御部、９・・・発光制御部、１０・・・画像処理部、１１・・・画像メモリ、１２・・・印刷部
【図１】
2006246320.tif 000003
【図２】
2006246320.tif 000004
【図３】
2006246320.tif 000005